(57)【要約】【課題】光学読取可能な情報コード形態の音声情報を取得する際に、一回の読み取りでより多くの情報を得ることが可能になる音声記録方法および音声再生方法並びに電子カメラを提供する。【解決手段】光学読取可能な情報コード形式の音声コード１４を画像形成媒体１２上に複数の色（例えばＲＧＢ）で多重記録することにより、単色の音声データコードの場合よりも多くの音声情報を記録でき限られた記録スペースに多くの情報量を乗せることが可能になる。ＣＣＤが搭載されたカメラ１０を用いて音声コード１４を読み込み、画像処理を施すと、一つ画像データから複数の画像データが得られ、色別の画像データから音声データを復元できる。多重記録された音声データコードの読取装置として電子カメラを使用して一度の撮影で得られる画像形式の音声データからより多くの音声データを得ることができる。【選択図】    図１
2004153737.tif 000002
【特許請求の範囲】
【請求項１】
デジタル音声データを複数の色からなる光学読取可能な画像形式の情報コード形態に変換する信号変換工程と、
前記信号変換工程によって生成された前記複数の色からなる光学読取可能な画像形式の音声データコードを画像形成媒体上に形成するコード形成工程と、
を含むことを特徴とする音声記録方法。
【請求項２】
複数のデジタル音声データに対してそれぞれ異なる色を関連付ける色関連付け工程と、
前記複数のデジタル音声データをそれぞれ前記関連付けされた色からなる光学読取可能な画像形式の情報コード形態に変換する信号変換工程と、
前記信号変換工程によってそれぞれ異なる色で表現された複数の音声データコードを合成して単一の画像形成媒体上に形成するコード形成工程と、
を含むことを特徴とする音声記録方法。
【請求項３】
複数の色で表現された光学読取可能な画像形式の音声データコードを撮像手段によって撮像する工程と、
前記撮像手段を介して取得した前記音声データコードの画像データを色分解する工程と、
前記色分解された音声データコードの画像データから音声データを復元する工程と、
前記復元された音声データを再生し、聴き取り可能な音声として出力する工程と、
を含むことを特徴とする音声再生方法。
【請求項４】
前記複数の色は、前記撮像手段に用いられる色分解フィルタの色と同色であることを特徴とする請求項３記載の音声再生方法。
【請求項５】
光学像を電気信号に変換する撮像手段と、前記撮像手段を介して取得したカラー画像データを記録媒体に記録する画像記録制御手段と、を有する電子カメラであって、
前記撮像手段で撮影して得られた画像データを色分解する画像処理手段と、
前記画像処理手段により分解された色別の画像データから音声データを復元する信号処理手段と、
を備えたことを特徴とする電子カメラ。
【請求項６】
前記信号処理手段は、前記色別の画像データからそれぞれ音声データを復元し、これら音声データを再構成して一つの音声データを生成することを特徴とする請求項５記載の電子カメラ。
【請求項７】
生成した音声データを再生し、聴き取り可能な音声として出力する音声出力手段を備えたことを特徴とする請求項５または６記載の電子カメラ。
【請求項８】
生成した音声データをデジタル音声ファイルとして前記記録媒体に記録する音声記録制御手段を備えたことを特徴とする請求項５、６または７記載の電子カメラ。
【発明の詳細な説明】
【０００１】
【発明の属する技術分野】
本発明は音声記録方法および音声再生方法並びに電子カメラに係り、特に音声を取り扱うデジタルカメラに好適な音声の記録方法および再生方法に関する。
【０００２】
【従来の技術】
近年、デジタルカメラにボイスメモ等の情報記録機能および音声再生機能が組み込まれている製品が一般化している。通常は一枚の静止画に対応付けられた音声データをカメラが記録し、記録された音声データはカメラの音声再生機能により再生される。
【０００３】
特許文献１に開示された情報記録再生システムでは、音声等のオーディオ情報、カメラ等から得られる映像情報およびパソコン等から得られるデジタルコード等のいわゆるマルチメディア情報を光学的に読み取り可能なドットコードとして画像や文字と一緒に紙等の媒体上に記録している。そして、ペン型情報再生装置を用いてドットコードを読み込み、音声情報はペン型情報再生装置に取り付けられたイヤホン等の音声出力器に出力し、映像はペン型情報再生装置に接続されたＣＲＴ等の表示装置に出力し、また、デジタルコードはペン型情報再生装置に接続されたプリンター等の出力装置に出力するようになっている。
【０００４】
【特許文献１】
特開平６−２３１４６６号公報
【０００５】
【発明が解決しようとする課題】
しかしながら、特許文献１に開示された情報記録再生システムでは、ドットコードを読み取るための専用読取装置を必要とする。また、読取装置の読取ヘッドの大きさや読取ヘッドの分解能といった読取装置の能力によって一回の読み取りで取得できる情報量が決まってしまうため、大量の情報を読み取るためには読取装置を走査させたり、あるいは読取を数回に分けたりする必要がある。
【０００６】
本発明はこのような事情を鑑みてなされたもので、光学読取可能な情報コード形態の音声情報を取得する際に、一回の読み取りでより多くの情報を得ることが可能になる音声記録方法および音声再生方法並びに電子カメラを提供することを目的とする。
【０００７】
【課題を解決するための手段】
前記目的を達成するために本発明に係る音声記録方法は、デジタル音声データを複数の色からなる光学読取可能な画像形式の情報コード形態に変換する信号変換工程と、前記信号変換工程によって生成された前記複数の色からなる光学読取可能な画像形式の音声データコードを画像形成媒体上に形成するコード形成工程と、を含むことを特徴としている。
【０００８】
本発明によれば、色を変えた音声データコードを画像形成媒体上に多重記録することにより、単色の音声データコードの場合よりも多くの音声情報を記録できる。したがって、多色化によって限られた記録スペースに多くの情報量を乗せることができ、情報量の飛躍的な増大、情報密度の向上が可能になる。さらに音声の高音質化、記録時間の長時間化が可能である。
【０００９】
なお、デジタル音声データは、マイクロフォンから得られた音声信号を変換したものでもよいし、電子楽器などの電子音源から人工的に生成されたものであってもよい。
【００１０】
また、一般的には色相によって色の違いを表現するが、本発明では色相、彩度、明度の三要素のうち少なくとも一つの要素が異なるものは異なる色として扱うことが可能である。
【００１１】
画像形成媒体とは、音声データコードが形成される媒体を意味し、音声データコードが印刷される用紙、プレートその他の印刷媒体や、音声データコードが映出されるＣＲＴ、液晶ディスプレイその他の画像表示装置などを包含するものである。
【００１２】
前記目的を達成するために本発明に係る音声記録方法は、複数のデジタル音声データに対してそれぞれ異なる色を関連付ける色関連付け工程と、前記複数のデジタル音声データをそれぞれ前記関連付けされた色からなる光学読取可能な画像形式の情報コード形態に変換する信号変換工程と、前記信号変換工程によってそれぞれ異なる色で表現された複数の音声データコードを合成して単一の画像形成媒体上に形成するコード形成工程と、を含むことを特徴としている。
【００１３】
複数のデジタル音声データとは、例えば、一つの音声データを、時系列に沿って分割されたもの、音チャンネル別に分けられたものあるいは周波数帯域に分割されたもの等がある。
【００１４】
本発明に係る音声再生方法は、複数の色で表現された光学読取可能な画像形式の音声データコードを撮像手段によって撮像する工程と、前記撮像手段を介して取得した前記音声データコードの画像データを色分解する工程と、前記色分解された音声データコードの画像データから音声データを復元する工程と、前記復元された音声データを再生し、聴き取り可能な音声として出力する工程と、を備えたことを特徴としている。
【００１５】
本発明によれば、複数の色で表現された音声データコードの画像データを色分解し、一つの画像データから複数の画像データが得られ、さらにそれぞれの画像データから音声を復元される。したがって、一つの画像形式の音声データから複数の音声を復元でき、さらに、聴き取り可能な音声として再生が可能になる。
【００１６】
本発明の一態様に係る音声再生方法は、前記複数の色は、前記撮像手段に用いられる色分解フィルタの色と同色であることを特徴としている。
【００１７】
前記目的を達成するために本発明に係る電子カメラは、光学像を電気信号に変換する撮像手段と、前記撮像手段を介して取得したカラー画像データを記録媒体に記録する画像記録制御手段と、を有する電子カメラであって、前記撮像手段で撮影して得られた画像データを色分解する画像処理手段と、前記画像処理手段により分解された色別の画像データから音声データを復元する信号処理手段と、を備えたことを特徴としている。
【００１８】
本発明によれば、カメラに備えられた画像処理手段によって、複数の色で表現された画像を色分解し、信号処理手段により画像データから音声を復元することができ、カメラを音声情報読取装置、音声再生装置として使用することが可能になる。
【００１９】
本発明の一態様に係るカメラは、前記信号処理手段は、前記色別の画像データからそれぞれ音声データを復元し、これら音声データを再構成して一つの音声データを生成することを特徴としている。
【００２０】
再構成とは、音声データが時系列に分割されているときは時系列順に配列し、音チャンネルで分割されているときには同時間化の処理を行い、また、周波数帯域分割されているときには帯域合成を行う等である。
【００２１】
また、本発明のさらに他の態様によれば、生成した音声データを再生し、聴き取り可能な音声として出力する音声出力手段を備えたことを特徴としている。
【００２２】
かかる態様によれば、カメラを音声再生装置として利用することができる。
【００２３】
上記構成の電子カメラにおいて、生成した音声データをデジタル音声ファイルとして前記記録媒体に記録する音声記録制御手段を備えたる態様が好ましい。
【００２４】
【発明の実施の形態】
以下、添付図面に従って本発明に係る音声表示方法および音声再生方法並びに電子カメラの好ましい実施の形態について説明する。
【００２５】
図１は光学読取可能な情報コード形式に記録された音声データコードをカメラにより取得する様子を示した図である。なお、図１上の音声データコードは本実施形態における音声データコードの概念を示している。
【００２６】
カメラ１０は被写体の光学像をデジタル画像データに変換して記録するデジタルカメラであって、音声再生機を備えている。
【００２７】
符号１２で示した画像形成媒体（例えば用紙）にはメッセージ等の音声が光学読取可能な形式にコード化された二次元コード（以下音声コードと記載）１４が形成されている。
【００２８】
音声コード１４はＲデータ１４Ａ、Ｇデータ１４Ｂ、Ｂデータ１４Ｃが合成されている。Ｒデータ１４Ａ、Ｇデータ１４Ｂ、Ｂデータ１４Ｃの詳細については後述する。
【００２９】
音声コード１４の形式にはバーコード、ドットコード等があるが、音声コード１４は音声情報を表すことが可能であればよく、任意の文字列、任意の数字列等、何れの形式でもよい。
【００３０】
本例の音声コード１４は画像形成媒体１２たる用紙上にカラー印刷されており、バー（色が付けられた部分）、スペース（白い部分）の太さ、パターンが意味（情報）を持っている。
【００３１】
図２は音声コード１４の拡大図である。
【００３２】
音声コード１４は赤色で表示されたＲデータ１４Ａ、緑色で表示されたＧデータ１４Ｂ、青色で表示されたＢデータ１４Ｃから構成されている。前記Ｒデータ１４Ａ、Ｇデータ１４Ｂ、Ｂデータ１４Ｃはそれぞれ異なるデータであり、同じコード化の規則によりコード形態になっている。
【００３３】
前記Ｒデータ１４Ａ、Ｇデータ１４Ｂ、Ｂデータ１４Ｃの例を挙げると、多チャンネル音声の各チャンネル音声である形態や、時系列データを分割したデータである形態などがある。また前記Ｒデータ１４Ａ、Ｇデータ１４Ｂ、Ｂデータ１４Ｃは、異なる写真に添付するボイスメッセージのように、独立したデータの形態でもよい。
【００３４】
前記音声コード１４は前記Ｒデータ１４Ａ、Ｇデータ１４Ｂ、Ｂデータ１４Ｃを重畳させて一つの画像とし、画像形成媒体１２上にカラー印刷されている。
【００３５】
本実施形態では音声コード１４の色表現にＲＧＢカラー画像表現を用いたが、音声コード１４の色表現はＲＧＢカラー画像表現に限定されず、撮像系のカラーフィルターにシアン、マゼン、イエローによるＣＭＹフィルターを使用した場合には、音声コード１４の色表現はＣＭＹカラー画像表現を用いることが好ましい。よって、音声コード１４の色表現は読取装置のカラー認識能力や画像形成媒体の表示特性に合わせた色表現を用いるとよい。
【００３６】
また、本実施形態ではデータの区別方法を色により行ったが、階調（輝度）による区別方法も考えられる。
【００３７】
画像形成媒体１２には音声コード１４の他に、音声コード１４の領域を示す領域マーカー１６および中心合わせ用マーカー（以下中心マーカーと記載）１８が形成されている。領域マーカー１６および中心マーカー１８は音声コード１４と区別できる形状、大きさ、色である。
【００３８】
領域マーカー１６は撮影時の画角合わせに使用され、中心マーカー１８は中心合わせおよび焦点合わせに利用される。
【００３９】
画像形成媒体１２の材質は紙に限定されず、音声コード１４、領域マーカー１６、中心マーカー１８をカメラ１０でカラー撮影可能であれば金属や樹脂等でもよい。またＣＲＴディスプレイや液晶モニタに表示させる形態も可能である。
【００４０】
図３乃至図７はカメラ１０の外観を示す正面図、背面図、平面図、底面図、および右側面図である。
【００４１】
図３に示すカメラ１０の前面には、沈胴式の撮影レンズ２０、ファインダー窓２１、ストロボ２２、ストロボ調光センサー２３、セルフタイマーランプ２４、マイク２６が設けられている。
【００４２】
また、カメラ１０の前面には、前記撮影レンズ２０の沈胴位置で開閉されるレンズバリア２８（図８参照）が設けられている。なお、図３では、レンズバリア２８が開放された状態を示している。
【００４３】
図４に示すカメラ１０の背面には、ファインダー３０、モードダイヤル３２、右キー３４、左キー３６、上下レバー３７、メニュー／実行キー３８、キャンセル／戻るキー４０、表示キー４２および液晶モニタ４４が設けられている。
【００４４】
モードダイヤル３２は、カメラの機能（モード）を変更する手段であり、モードダイヤル３２を回動操作することにより、静止画撮影を行う撮影モード、撮影した画像を再生する再生モード、音声付き動画撮影を行うムービーモード、画像無しの音声記録を行うボイスレコーダモードに設定できる。また静止画撮影後にその画像と関連付けて音声を記録するボイスメモ機能を有している。
【００４５】
右キー３４および左キー３６は、それぞれ再生モード時に１コマ逆送りボタン、１コマ順送りボタンとして機能し、あるいは、メニュー画面にてカーソルを右左に移動させるボタンとして機能する。
【００４６】
また、上下レバー３７は再生機能や撮影時のズーム機能における倍率調整用ズームキー等として用いられる。
【００４７】
メニュー／実行キー３８は各モードの通常画面からメニュー画面へ遷移させる時、あるいは、選択内容の確定、処理の実行（確認）指示の時などに使用される。
【００４８】
キャンセル／戻るキー４０はメニューから選んだ項目の取り消し（キャンセル）や一つ前の操作状態に戻る時などに使用される。
【００４９】
表示キー４２は液晶モニタ４４をＯＮ／ＯＦＦ操作したり、再生方法や再生中のコマ番号等の表示／非表示を切り替えたりするための操作手段である。
【００５０】
液晶モニタ４４は、電子ビューファインダーとして使用できるとともに、撮影した画像やカメラに装填されたメモリカードから読み出した再生画像等を表示することができる。また、液晶モニタ４４は、撮影可能コマ数や再生コマ番号の表示、ストロボ発光の有無、マクロモード表示、記録画質（クオリティー）表示、画素数表示等の情報も表示される。
【００５１】
図５に示すカメラ１０の上面には、電源スイッチを兼ねたモード設定スイッチ４６およびレリーズボタン４８が設けられている。
【００５２】
モード設定スイッチ４６は、図５上でツマミが右方向に移動する時にはロックされ、ツマミが左方向に移動する時にはロックされないスライドスイッチであり、前記ツマミが右方向に移動してロックされると、オーディオモードを設定し、前記ツマミが左方向に移動する毎にカメラモードとカメラ内電源をＯＦＦにするＯＦＦモードとを交互に設定する。
【００５３】
レリーズボタン４８は２段階式に構成され、レリーズボタン４８を軽く押して止める「半押し（Ｓ１  ＝ＯＮ）」の状態で自動ピント合わせ（以下ＡＦと記載）および自動露出制御（以下ＡＥと記載）が作動してＡＦとＡＥをロックし、「半押し」から更に押し込む「全押し（Ｓ２＝ＯＮ）」の状態で撮影が実行される。レリーズボタン４８は、静止画の記録開始の指示を与える手段であるとともに、動画の録画ボタン（録画スタート／ストップボタン）およびボイスレコーダモード下での録音ボタン（録音スタート／ストップボタン）として兼用される。
【００５４】
図６に示すカメラ１０の底面には、メモリカード（スマートメディア）のスロットカバーを兼ねた電池カバー５０、および三脚ねじ穴５２が設けられている。
【００５５】
図７に示すカメラ１０の右側面（グリップと反対側の側面）には、音声／映像出力端子（ラインＯＵＴ）５４、リモコン端子５６、デジタル（ＵＳＢ）端子５８、電源入力端子６０、スピーカー６２が設けられている。
【００５６】
図８はカメラ１０の内部構成を示したブロック図である。
【００５７】
同図において、中央処理装置（ＣＰＵ）７０は、本カメラシステムを統括制御する制御部である。ＣＰＵ７０は、モードダイヤル３２、モード設定スイッチ４６、レリーズボタン４８等からの指示信号の入力に基づいてカメラ１０内の各回路の動作を制御する。
【００５８】
ＲＯＭ７１にはＣＰＵ７０が処理するプログラムおよび制御に必要な各種データ等が格納されている。ＲＡＭ７３は画像処理領域の他、ＣＰＵ７０が各種の演算処理等を行う作業用領域を有している。
【００５９】
撮影レンズ２０を通過した光は、図示せぬ絞りによって光量が調節された後、ＣＣＤイメージセンサ（以下ＣＣＤと記載）７４に入射する。ＣＣＤ７４の受光面には、フォトセンサが平面的に配列され、各センサに対応して赤（Ｒ）、緑（Ｇ）、青（Ｂ）の原色カラーフィルタが所定の配列形態で配置されている。
【００６０】
本例では、ＲＧＢ原色カラーフィルタ型のＣＣＤ（単板式）を用いているが、マゼンタ（Ｍａ）、イエロー（Ｙｅ）、グリーン（Ｇ）、シアン（Ｃｙ）の補色カラーフィルタ型のＣＣＤを用いてもよい。また、プリズムによる色分解光学系を搭載し、ＲＧＢの各色毎にそれぞれ撮像デバイスを設ける態様（複板式）もある。
【００６１】
撮影レンズ２０を介してＣＣＤ７４の受光面に結像された被写体像は、各フォトセンサによって入射光量に応じた量の信号電荷に変換される。なお、ＣＣＤ７４は、シャッターゲートパルスのタイミングによって各フォトセンサの電荷蓄積時間（シャッタースピード）を制御する、いわゆる電子シャッター機能を有している。
【００６２】
このようにして蓄積された信号電荷は、その信号電荷に応じた電圧信号として順次読み出される。ＣＣＤ７４から順次読み出された電圧信号は、相関二重サンプリング回路（ＣＤＳ回路）７６に加えられ、ここで各画素ごとのＲ、Ｇ、Ｂ信号がサンプリングホールドされるともに増幅され、Ａ／Ｄ変換器７８に加えられる。Ａ／Ｄ変換器７８は、ＣＤＳ回路７６から順次加えられるＲ、Ｇ、Ｂ信号をデジタル信号に変換して画像信号処理回路８０に出力する。
【００６３】
画像信号処理回路８０は、Ａ／Ｄ変換器７８から加えられる点順次のＲ、Ｇ、Ｂ信号を同時式に変換する同時化処理、ホワイトバランス調整、ガンマ補正、輝度／色差信号処理（ＹＣ処理）等の所定の画像処理を行う。画像信号処理回路８０で処理された画像データはＲＡＭ７３に格納される。撮影画像を表示出力する場合、ＲＡＭ７３から画像データが読み出され、このデータが内部バス８５を介して画像再生処理回路８６に転送される。
【００６４】
画像再生処理回路８６に送られたデータは、画像再生処理回路８６およびビデオエンコード回路８８を介して表示用の所定方式の信号（例えば、ＮＴＳＣ方式のカラー複合映像信号）に変換された後、液晶モニタ４４に出力されるとともに、音声／映像出力端子５４に出力される。ＣＣＤ７４から出力される画像信号によってＲＡＭ７３内の画像データが定期的に書き換えられ、その画像データから生成される映像信号が液晶モニタ４４に供給されることにより、ＣＣＤ７４を介して入力する画像がリアルタイムに液晶モニタ４４に表示される。撮影者は、液晶モニタ４４に映し出される画像（スルー画）、或いはファインダー３０によって撮影画角を確認できる。
【００６５】
モードダイヤル３２によって撮影モードが設定されると、液晶モニタ４４に被写体選択画面が表示される。前記被写体表示画面では「ノーマル」と「コード」を選択することができる。右キー３４あるいは左キー３６を操作してどちらか一方を選び、メニュー／実行キー３８の押下により選択を確定する。
【００６６】
上記被写体選択により「ノーマル」を選択した場合には、通常の写真撮影が行われる。レリーズボタン４８が押されると（Ｓ２＝ＯＮ）、撮影開始指示（レリーズＯＮ）信号が発せられる。ＣＰＵ７０は、この指示信号の受入に呼応して、記録用の画像データの取り込みを開始する。なお、ＣＰＵ７０は、撮影動作に先立ち、レリーズボタン４８の半押し（Ｓ１  ＝ＯＮ）に応動してＡＦ制御およびＡＥ制御を行う。すなわち、ＣＰＵ７０はＣＣＤ７４から得られる画像データに基づいて焦点評価演算やＡＥ演算などの各種演算を行い、その演算結果に基づいてレンズ駆動用モータ９０のドライバ９２を制御し、撮影レンズ２０を合焦位置に移動させる一方、図示せぬアイリス駆動部を制御して絞りを適正絞り値に設定するとともにＣＣＤ７４の電荷蓄積時間を制御する。また、ＣＰＵ７０は、必要に応じてストロボ発光制御を行う。
【００６７】
レリーズボタン４８全押し（Ｓ２＝ＯＮ）に応動して取り込まれた画像データは、ＹＣ処理その他の所定の信号処理を経てＲＡＭ７３に格納される。ＣＰＵ７０は圧縮伸長処理回路９４にコマンドを送り、これにより圧縮伸長処理回路９４は、ＲＡＭ７３上に取り込まれた画像データ（輝度信号Ｙとクロマ信号Ｃｒ、Ｃｂ）を所定のフォーマット（例えば、ＪＰＥＧ方式）  に従って圧縮する。圧縮されたデータは、メディアコントロール回路９６を介してメモリカード９８に記録される。
【００６８】
本例のカメラ１０では、画像データを保存する手段として、例えばスマートメディア（Ｓｏｌｉｄ−Ｓｔａｔｅ  Ｆｌｏｐｐｙ  Ｄｉｓｋ  Ｃａｒｄ）が適用される。記録メディアの形態はこれに限定されず、ＰＣカード、コンパクトフラッシュ、磁気ディスク、光ディスク、光磁気ディスク、メモリスティックなどでもよく、電子的、磁気的、若しくは光学的、又はこれらの組み合わせによる方式に従って読み書き可能な種々の媒体を用いることができる。使用される媒体に応じた信号処理手段とインターフェースが適用される。異種、同種の記録メディアを問わず、複数の媒体を装着可能な構成にしてもよい。リムーバブルメディアに限らず、カメラ１０に内蔵された記録媒体（内部メモリ）であってもよい。
【００６９】
カメラ１０には撮影後（記録前）に撮影結果を液晶モニタ４４に表示して、その撮影画像を記録するか否かをユーザーが選択できるようにした機能（プレビュー機能）が設けられている。ユーザーは、セットアップメニュー画面において、プレビュー機能の有効／無効を指定することができる。プレビュー機能が「有効」の場合、撮影直後に撮影画像が表示され、当該画像の記録を容認する場合は、ユーザーはメニュー／実行キー３８を押下して、「記録ＯＫ」の指示を入力する。この指示入力に応動して撮影画像がメモリカード９８に書き込まれる。また、液晶モニタ４４に表示された撮影画像の記録を希望しない場合、ユーザーはキャンセル／戻るキー４０を押下して「記録取消」の指示を入力する。この指示入力に応動して撮影画像の記録処理が取り消される。
【００７０】
また、静止画の撮影後に一定時間内の音声を記録できるボイスメモ機能を有している。静止画の撮影モード（オート撮影モード、またはマニュアル撮影モード）におけるメニュー画面でボイスメモ機能のＯＮ／ＯＦＦを選択できるようになっている。
【００７１】
ボイスメモ機能ＯＮが選択されている場合、撮影を実行して画像データをメモリカード９８に書き込み終わると、液晶モニタ４４には記録画像を背景とする録音スタンバイ画面が表示される。録音スタンバイ画面でキャンセル／戻るキー４０を押下した場合、ボイスメモ録音を実行せずに、通常の撮影画面に遷移する。
【００７２】
一方、レリーズボタン全押し（Ｓ２＝ＯＮ）でボイスメモ録音を開始し、その後レリーズボタン４８の半押し（Ｓ１＝ＯＮ）で録音を完了する。ここでメニュー／実行キー３８を押下すると音声データをメモリカード９８に書き込む処理が実行される。録音中にキャンセル／戻るキー４０を押下した場合は録音がキャンセルされ、録音スタンバイ画面に戻る。
【００７３】
録音が一定時間（例えば３０秒間）を超えると録音は強制的に終了され、液晶モニタ４４には録音終了画面が表示される。ここでメニュー／実行キー３８を押下すると、録音内容がメモリカード９８に書き込まれる。録音のやり直しを希望する場合には、キャンセル／戻るキー４０を押下して録音スタンバイ画面に戻す。こうしてボイスメモ機能による音声記録が完了すると、通常の撮影モードに復帰して、撮影が可能となる。
【００７４】
また、被写体選択において「コード」を選択した場合には、音声コード読み込みが行われる。
【００７５】
音声コード読み込みでは、まず、音声コード１４をカメラ１０の撮像手段により撮影する。撮影された音声コード１４は所定の信号処理を施され、音声データ画像としてＲＡＭ７３に一時記憶される。
【００７６】
ここで、ＣＰＵ７０はＲＯＭ７１に格納されたデコードプログラムを起動し、ＲＡＭ７３に記憶された前記音声データ画像を読み出す。読み出された音声データ画像は音声データに変換され、再度ＲＡＭ７３に格納される。
【００７７】
この時、カメラ１０の記録操作がなされると、前記音声データはメモリカード９８に記録され、また再生操作がなされると、前記音声データはカメラの再生機能により音声再生される。
【００７８】
図９は音声コード読み込みの制御を示したフローチャートである。
【００７９】
モードダイヤル３２により撮影モードが選択されると（ステップＳ１０）、被写体選択において通常の写真撮影を行う「ノーマル」あるいは音声コード撮影を行う「コード」のどちらかを選択する（ステップＳ１２）。「ノーマル」が選択されると、通常の写真撮影を行う（ステップＳ１４）。
【００８０】
一方、「コード」が選択されると、ＣＰＵ７０はＲＯＭ７１に格納されたデコードプログラムを起動し（ステップＳ１６）、図１０に示すとおり、液晶モニタ４４には撮影モード表示１２０にコード撮影状態を示す「コード」が表示され、また、画角合わせマーカー１２２および中心合わせマーカー１２４が表示される。
【００８１】
後述する、コード撮影が行われると（図９のステップＳ２０）、音声データが生成される（ステップＳ２４）。
【００８２】
音声データが生成されると、液晶モニタ４４には、図１１に示す音声再生選択画面１２８が表示される。音声再生選択画面１２８において音声再生を行うあるいは音声再生を行わないの何れかを選択する（図９のステップＳ２６）
音声再生選択画面１２８において「いいえ」を選択すると、音声処理回路１００にてＷＡＶＥ形式等所定の音声ファイル形式に変換され（ステップＳ２８）、メディアコントロール回路９６を介してメモリカード９８に記録される（ステップＳ３０）。
【００８３】
また、音声再生選択画面１２８において「はい」（音声再生を行う）を選択すると、カメラ１０に備えられた音声再生機能により、音声が再生される（ステップＳ３２）。
【００８４】
音声再生が終了すると、液晶モニタ４４は、図１２に示す音声データ処理選択画面１３０が表示され、再生した音声をメモリカード９８に記録するか、再生した音声を消去するかを選択する（図９のステップＳ３４）。
【００８５】
音声データ処理選択画面１３０において「いいえ」を選択すると、該音声データは消去され、カメラ１０の制御は被写体選択（ステップＳ１２）に遷移する。
【００８６】
一方、音声データ処理選択画面において「はい」（再生した音声を記録する）を選択すると、音声データは音声処理回路１００に転送され、音声処理回路にてＷＡＶＥ形式等所定の音声ファイル形式に変換され（ステップＳ２８）、メモリカード９８に記録される（ステップＳ３０）。
【００８７】
図１３を用いてコード撮影（図９のステップＳ２２）の制御を説明する。
【００８８】
図９の被写体選択（ステップＳ１２）において「コード」が選択されると（図１３のステップＳ１００）、液晶モニタ４４には図１０に示す撮影モード表示（「コード」）１２０および画角合わせ用枠１２２、中心合わせ用枠１２４が表示される（図１３のステップＳ１０２）。
【００８９】
レリーズボタン４８半押し（Ｓ１＝ＯＮ）が行われると（ステップＳ１０４）、ＡＥ、ＡＦ、ＡＷＢ（オートホワイトバランス）制御および所定の信号処理が行われる（ステップＳ１０６）。
【００９０】
ここで、音声コード（画像）からＲ画像、Ｇ画像、Ｂ画像が抽出され（ステップＳ１０７）、それぞれ画像形式ファイルとして、一時ＲＡＭ７３に格納される（ステップＳ１０８）。
【００９１】
次に、撮影レンズ２０の合焦検出が行われる（ステップＳ１１０）。合焦検出は音声コード１４が形成された画像形成媒体１２に形成された中心合わせ用マーカー１８と液晶モニタ４４に表示された中心合わせ用枠１２４が重なるようフレームを合わせ、中心合わせ用マーカー１８に撮影レンズ２０が合焦するかを検出する。
【００９２】
撮影レンズ２０の合焦が検出されない場合には、図１４に示す合焦警告表示１５０が液晶モニタ４４に表示され（図１３のステップＳ１１２）、カメラの制御はレリーズボタン４８半押し（Ｓ１＝ＯＮ）待ち状態に遷移する。
【００９３】
一方、撮影レンズの合焦が検出されると、マーカー検出が行われる（ステップＳ１１４）。マーカー検出では、液晶モニタ４４に表示された画角合わせ用枠１２２と画像形成媒体１２に表示された領域マーカー１６が重なっているかを検出する。画角合わせ用枠１２２と領域マーカー１６が重ならない場合には、図１５に示すマーカー警告表示１６０が液晶モニタ４４に表示され（図１３のステップＳ１１６）、カメラ１０の制御はレリーズボタン４８半押し（Ｓ１＝ＯＮ）待ち状態に遷移する。
【００９４】
画角合わせ用枠１２２と領域マーカー１６が重なると、レリーズボタン４８全押し（Ｓ２＝ＯＮ）により（ステップＳ１１８）、ＲＡＭ７３に格納されたＲ画像、Ｇ画像、Ｂ画像は画像信号処理回路８０に読み出され（ステップＳ１２０）、Ｒ画像、Ｇ画像、Ｂ画像は音声データＲ音声、Ｇ音声、Ｂ音声に変換される（ステップＳ１２２）。
【００９５】
前記音声データＲ音声、Ｇ音声、Ｂ音声が時系列にそって分割されたものであれば、前記音声データＲ音声、Ｇ音声、Ｂ音声は時間順に並べられ、また、周波数帯域に分割されたものであれば、帯域合成を行う等、前記音声データＲ音声、Ｇ音声、Ｂ音声は一つの音声ファイルに合成され（ステップＳ１２４）、Ｒ音声、Ｇ音声、Ｂ音声が合成された音声ファイルが生成されると（図９のステップＳ２４）カメラの処理は図９の再生選択に遷移する（ステップＳ３２）。
【００９６】
カメラ１０がムービーモードに設定されると、音声付きの動画記録が可能となる。レリーズボタン４８の押下（Ｓ２＝ＯＮ）によって録画動作がスタートし、もう一度レリーズボタン４８を押下（Ｓ１  ＝ＯＮ）すると録画動作が停止する。レリーズボタン４８を押下継続している期間、録画動作を行い、押下解除により録画を停止するようにしてもよい。動画データは、例えば、モーションＪＰＥＧ形式によってメモリカード９８に記録される。
【００９７】
カメラ１０がボイスレコーダモードに設定されると音声記録が可能となる。レリーズボタン４８の全押し（Ｓ２＝ＯＮ）で録音を開始し、その後レリーズボタン４８の半押し（Ｓ１  ＝ＯＮ）で録音を停止する。これにより、レリーズボタン４８の操作音が記録されないようになっている。マイク２６を介して入力された音声信号は、音声処理回路１００に入力される。音声処理回路１００は、入力した音声信号をデジタル信号に変換するとともに、所定のファイル形式（例えば、ＷＡＶＥ形式）  に変換する。こうして得られた音声データは、メディアコントロール回路９６を介してメモリカード９８に記録される。
【００９８】
図１９はメモリカード９８のディレクトリ（フォルダ）構造を示す図である。図１９に示したディレクトリ名およびファイル名は、一例であり適宜変更可能である。
【００９９】
ルート（ｒｏｏｔ）ディレクトリの下に、画像ファイル格納用ディレクトリ（ＤＣＩＭ）が形成されている。画像ファイル格納用ディレクトリ（ＤＣＩＭ）の下層には、複数のサブディレクトリ「１００  ＿ｆｕｊｉ」、「１０１  ＿ｆｕｊｉ」…が形成されており、ディレクトリ毎に分類して画像ファイルを保存することができる。
【０１００】
また、記録されたデータには記録形式に従ったファイル名が自動的に付けられる。例えばＪＰＥＧ形式で記録された静止画ファイルは「ＤＳＣＦ＊＊＊＊．ｊｐｇ」というファイル名（ただし＊＊＊＊は４桁の数字列）で記録され、ＷＡＶＥ形式で記録されたされた音声ファイルは「＊＊＊＊．ｗａｖ」というファイル名で記録される。
【０１０１】
ファイル名は記録時にＣＰＵ７０によって自動付与される。また、ファイル名の４桁の番号は、原則として、重複なく連番で付与される。
【０１０２】
コード撮影の結果、一回の読み取り（撮影）で複数のファイルが生成された場合には、ファイル名中４桁の数字列は連続番号が付与される。
【０１０３】
モード設定スイッチ４６によってカメラモードが設定され、モードダイヤル３２によって再生モードが選択されると、メモリカード９８に記録されている最終コマのファイルがメディアコントロール回路９６を介して読み出される。最終コマのファイルが静止画ファイルの場合、この読み出された画像ファイルの圧縮データは、圧縮伸長処理回路９４を介して非圧縮のＹＣ信号に伸長される。
【０１０４】
伸長されたＹＣ信号は、画像再生処理回路８６およびビデオエンコード回路８８を介して表示用の信号に変換され、液晶モニタ４４に出力されるとともに、音声／映像出力端子５４に出力される。
【０１０５】
これにより、液晶モニタ４４にはメモリカード９８に記録されている最終コマのコマ画像が表示され、また、音声／映像出力端子５４にテレビ受像機（不図示）が接続されている場合には、テレビ受像機に最終コマのコマ画像が表示される。
【０１０６】
その後、右キー３４が押されると順方向にコマ送りされ、左キー３６が押されると逆方向にコマ送りされる。そして、コマ送りされたコマ位置の画像ファイルがメモリカード９８から読み出され、上記と同様にしてコマ画像が液晶モニタ４４に再生される。最終コマのコマ画像が表示されている状態で順方向にコマ送りされると、メモリカード９８に記録されている第１コマ目の画像ファイルが読み出され、１コマ目のコマ画像が液晶モニタ４４やテレビ受像機その他の画像表示装置に再生される。
【０１０７】
再生対象ファイルが動画ファイルの場合には、動画の先頭コマが代表画像として表示され、動画再生開始の指示を受け付ける画面になる。また、再生対象ファイルが音声ファイルの場合には、液晶モニタ４４上に音声ファイルであることを示す所定の図像が表示され、音声再生開始の指示を受け付ける画面になる。音声再生開始の指示を入力すると、メモリカード９８から音声ファイルが読み出され、音声処理回路１００により音声信号に変換された後、スピーカー６２又はリモコン端子５６に接続されるヘッドホン（不図示）を介して音声として出力される。
【０１０８】
上記の如く構成されたカメラ１０では、複数の色で表示され、情報コード形式に変換された音声コード１４は、カラー画像としてカメラ１０に取り込むことができる。取り込まれた画像データはカメラ１０に備えた画像処理機能によりＲ画像、Ｇ画像、Ｂ画像のように分解され、カメラ１０に備えられた信号処理機能および音声復元機能によりＲ画像、Ｇ画像、Ｂ画像はそれぞれ音声データＲ音声、Ｇ音声、Ｂ音声（音声形式の信号）のように変換される。またＲ音声、Ｇ音声、Ｂ音声はカメラ１０内で合成され一つの音声データを生成することができる。したがって、カメラ１０を音声コード１４の読取装置および音声再生装置として利用することができる。
【０１０９】
上記にはデジタルカメラにおける実施形態を開示したが、本発明の適用範囲はデジタルカメラに限定されず、ムービーカメラにも適用可能である。
【０１１０】
また、音声コード１４の読取装置としてはイメージスキャナーあるいはカラー複写機等を利用する形態が考えられる。
【０１１１】
【発明の効果】
本発明によれば、色を変えた音声データコードを画像形成媒体上に多重記録することにより、単色の音声データコードの場合よりも多くの音声情報を記録できる。多色化によって限られた記録スペースに多くの情報量を乗せることができ、情報量の飛躍的な増大、情報密度の向上が可能になる。電子カメラを用いて、多重記録された音声データコードを読み込み、色分解すると、一つ画像データから複数の画像データを得ることができる。さらに、電子カメラを用いて画像データから音声データを復元できるので、音声データコードの読取装置として電子カメラを使用して一度の撮影で得られる音声データコードからより多くの音声を得ることができる。
【図面の簡単な説明】
【図１】本発明の実施形態に係るカメラにより光学読取可能な情報コード形式に記録された音声データコードを取得する様子を示す図
【図２】光学読取可能な情報コード形式に記録された音声データコードの拡大図
【図３】本発明の実施形態に係るカメラの正面図
【図４】本発明の実施形態に係るカメラの背面図
【図５】本発明の実施形態に係るカメラの上面図
【図６】本発明の実施形態に係るカメラの底面図
【図７】本発明の実施形態に係るカメラの右側面図
【図８】本発明の実施形態に係るカメラの電気的構成を示すブロック図
【図９】音声コードの読み込みの制御を示したフローチャート
【図１０】コード撮影状態を示す液晶モニタの表示を示す図
【図１１】音声データコード読み込み状態における音声再生選択画面を示す図
【図１２】音声データコード読み込みにおける音声データ処理選択画面を示す図
【図１３】コード撮影の制御を示したフローチャート
【図１４】音声データコード読み込み状態における合焦警告画面を示す図
【図１５】音声データコード読み込み状態におけるマーカー警告画面を示す図
【図１６】メモリカードのディレクトリ構想を示す図
【符号の説明】
１０…カメラ、１２…画像形成媒体、１４…音声コード、１４Ａ…Ｒデータ、１４Ｂ…Ｇデータ、１４Ｃ…Ｂデータ、２０…撮影レンズ、４４…液晶モニタ、５４…音声／映像出力端子、６２…スピーカー、７０…ＣＰＵ、７１…ＲＯＭ、７３…ＲＡＭ、８０…画像信号処理回路、９８…メモリカード、Ｓ１６…デコードプログラム起動、Ｓ２２…コード撮影、Ｓ２８…圧縮・形式変換、Ｓ３０…記録、Ｓ３２…再生出力、Ｓ１２２…音声コードをＲ画像、Ｇ画像、Ｂ画像に分解、Ｓ１２４…Ｒ画像、Ｇ画像、Ｂ画像をＲ音声、Ｇ音声、Ｂ音声に変換、Ｓ２０６…Ｒ音声、Ｇ音声、Ｂ音声を合成
【図１】
2004153737.tif 000003
【図２】
2004153737.tif 000004
【図３】
2004153737.tif 000005
【図４】
2004153737.tif 000006
【図５】
2004153737.tif 000007
【図６】
2004153737.tif 000008
【図７】
2004153737.tif 000009
【図８】
2004153737.tif 000010
【図９】
2004153737.tif 000011
【図１０】
2004153737.tif 000012
【図１１】
2004153737.tif 000013
【図１２】
2004153737.tif 000014
【図１３】
2004153737.tif 000015
【図１４】
2004153737.tif 000016
【図１５】
2004153737.tif 000017
【図１６】
2004153737.tif 000018